(57)【要約】【課題】  電話交換システムを買い換えることなく、ＡＣＤ機能を追加する手段を提供する。【解決手段】  複数の内線電話機を収容する電話交換装置と外線との間に挿入する電話番号変換アダプタであって、着番号を抽出する着番号抽出手段と、前記着番号と前記電話交換機に収容される内線電話機の各々を個別に呼出す個別呼出電話番号を予め記憶しておく電話番号記憶手段と、前記着番号抽出手段によって抽出した着番号を予め定められた変換ルールに従って所定の電話番号に変換してまたは変換しないで前記着信に係る信号を前記電話交換装置へ中継する着信中継手段とを有し、着信時に抽出した着番号が前記電話番号記憶手段に記憶された内容と一致した場合に、着番号を所定の個別呼出電話番号に変換して前記着信に係る信号を前記電話交換装置へ中継する。【選択図】図１
2013121158.tif 000002
【特許請求の範囲】
【請求項１】
複数の内線電話機を収容する電話交換装置と外線との間に挿入する電話番号変換アダプタであって、
前記外線からの着信を検知する着信検知手段と、該着信の着信先電話番号である着番号を抽出する着番号抽出手段と、所定のグループに属する内線電話機を呼出すグループ呼出電話番号もしくは全内線電話機を一括で呼出す一括呼出電話番号および前記電話交換機に収容される内線電話機の各々を個別に呼出す個別呼出電話番号を予め記憶しておく電話番号記憶手段と、前記電話番号記憶手段を参照して前記着番号抽出手段が抽出した着番号が前記グループ呼出電話番号もしくは一括呼出電話番号であるか否かを判定する呼出判定手段と、前記着番号抽出手段が抽出した着番号を予め定められた変換ルールに従って所定の電話番号に変換してまたは変換しないで前記着信に係る信号を前記電話交換装置へ中継する着信中継手段と、を有し、
前記着信検出手段が外線からの着信を検知した場合に、前記着番号抽出手段が抽出した着番号が前記グループ呼出電話番号もしくは一括呼出電話番号と一致したならば、前記着信中継手段は前記着番号抽出手段が抽出した着番号を所定の個別呼出電話番号に変換して前記着信に係る信号を前記電話交換装置へ中継し、
前記着番号抽出手段が抽出した着番号が前記グループ呼出電話番号もしくは一括呼出電話番号と一致しないならば、前記着信中継手段は前記着番号抽出手段が抽出した着番号を変換しないで前記着信に係る信号を前記電話交換装置へ中継することを特徴とする着信先電話番号変換アダプタ。
【請求項２】
請求項１に記載の電話番号変換アダプタにおいて、
自アダプタが中継した着信に係る中継履歴情報を蓄積する中継履歴蓄積手段をさらに有し、
前記着番号抽出手段が抽出した着番号が前記グループ呼出電話番号もしくは一括呼出電話番号と一致したならば、前記着信中継手段は前記中継履歴蓄積手段を参照して前記着番号抽出手段が抽出した着番号を所定の個別呼出電話番号に変換して前記着信に係る信号を前記電話交換装置へ中継することを特徴とする着信先電話番号変換アダプタ。
【請求項３】
請求項１または２に記載の電話番号変換アダプタにおいて、
前記着信検知手段が検知した外線からの着信に係る信号から該着信の発信元電話番号を抽出する発信元電話番号抽出手段をさらに有し、
前記着番号抽出手段が抽出した着番号が前記グループ呼出電話番号もしくは一括呼出電話番号と一致したならば、前記着信中継手段は前記発信元電話番号抽出手段が抽出した発信元電話番号に応じて前記着番号抽出手段が抽出した着番号を所定の個別呼出電話番号に変換して前記着信に係る信号を前記電話交換装置へ中継することを特徴とする着信先電話番号変換アダプタ。
【請求項４】
請求項１から３のいずれかに記載の電話番号変換アダプタにおいて、
着信に応答して所定の音声メッセージを該着信の発信元へ送信する音声メッセージ送信手段をさらに有し、
前記着信中継手段が前記着番号抽出手段が抽出した着番号を所定の個別呼出電話番号に変換して前記着信に係る信号を前記電話交換装置へ中継する場合に、前記音声メッセージ送信手段は着番号を所定の個別呼出電話番号に変換して呼出す旨の音声メッセージを該着信の発信元へ送信することを特徴とする着信先電話番号変換アダプタ。
【請求項５】
請求項１から４のいずれかに記載の電話番号変換アダプタにおいて、
所定の音声メッセージを該着信に応答した内線電話機へ送信する内線側音声メッセージ送信手段をさらに有し、
前記着信中継手段が前記着番号抽出手段が抽出した着番号を所定の個別呼出電話番号に変換して前記着信に係る信号を前記電話交換装置へ中継する場合に、前記内線側音声メッセージ送信手段は着番号を所定の個別呼出電話番号に変換して呼出した旨の音声メッセージを該内線電話機へ送信することを特徴とする着信先電話番号変換アダプタ。
【発明の詳細な説明】
【技術分野】
【０００１】
本発明は、複数の内線電話機を収容する電話交換装置と外線の間に接続し、グループ呼出電話番号もしくは一括呼出電話番号宛の着信を、個別の内線電話機を呼出すための着番号に変換する機能を備えたアダプタ装置に関するものである。
【背景技術】
【０００２】
従来、外線からの着信を所定の内線電話機に振り分ける機能は、ＡＣＤ（Ａｕｔｏｍａｔｉｃ  Ｃａｌｌ  Ｄｉｓｔｒｉｂｕｔｉｏｎ）装置として電話交換機能を実現する機能部と一体化されている、または電話交換装置の配下にＡＣＤ機能能を制御する装置（サーバ等）を接続して構成していた。このことは特許文献１及び特許文献２で示されている。
【先行技術文献】
【特許文献】
【０００３】
【特許文献１】特開２００８−２１９７４１号公報
【特許文献２】特開２００９−０１０５０３号公報
【発明の概要】
【発明が解決しようとする課題】
【０００４】
しかし特許文献１に示す形態では、ＡＣＤ機能が電話交換装置と一体化されているため、ＡＣＤ機能を搭載していない電話交換装置のユーザがＡＣＤ機能を追加しようとした場合には、システム全体を買い換えなければならなかった。また、特許文献２に示す形態では、電話交換装置と配下に接続されるＡＣＤ機能を制御するサーバ装置が専用のインタフェースで接続されるため、そのインタフェースが合致した装置同士を組み合わせる必要があり、求める機能や性能に応じたＡＣＤ装置を選択できる柔軟性が少なかった。
【０００５】
本発明は、上記課題に鑑みなされたものであって、本発明の目的は、標準的なインタフェースを用いて、ＡＣＤ機能を既存の電話交換装置に容易に追加する技術を提供することにある。
【課題を解決するための手段】
【０００６】
そこで本発明は、複数の内線電話機を収容する電話交換装置と外線との間に挿入する電話番号変換アダプタであって、前記外線からの着信を検知する着信検知手段と、該着信の着信先電話番号である着番号を抽出する着番号抽出手段と、所定のグループに属する内線電話機を呼出すグループ呼出電話番号もしくは全内線電話機を一括で呼出す一括呼出電話番号および前記電話交換装置に収容される内線電話機の各々を個別に呼出す個別呼出電話番号を予め記憶しておく電話番号記憶手段と、前記電話番号記憶手段を参照して前記着番号抽出手段が抽出した着番号が前記グループ呼出電話番号もしくは一括呼出電話番号であるか否かを判定する呼出判定手段と、前記着番号抽出手段が抽出した着番号を予め定められた変換ルールに従って所定の電話番号に変換してまたは変換しないで前記着信に係る信号を前記電話交換装置へ中継する着信中継手段と、を有し、前記着信検出手段が外線からの着信を検知した場合に、前記着番号抽出手段が抽出した着番号が前記グループ呼出電話番号もしくは一括呼出電話番号と一致したならば、前記着信中継手段は前記着番号抽出手段が抽出した着番号を所定の個別呼出電話番号に変換して前記着信に係る信号を前記電話交換装置へ中継し、前記着番号抽出手段が抽出した着番号が前記グループ呼出電話番号もしくは一括呼出電話番号と一致しないならば、前記着信中継手段は前記着番号抽出手段が抽出した着番号を変換しないで前記着信に係る信号を前記電話交換装置へ中継する。
【０００７】
また、自アダプタが中継した着信に係る中継履歴情報を蓄積する中継履歴蓄積手段をさらに有し、前記着番号抽出手段が抽出した着番号が前記グループ呼出電話番号もしくは一括呼出電話番号と一致したならば、前記着信中継手段は前記中継履歴蓄積手段を参照して前記着番号抽出手段が抽出した着番号を所定の個別呼出電話番号に変換して前記着信に係る信号を前記電話交換装置へ中継する。
【発明の効果】
【０００８】
本発明は、電話交換装置と外線との間に接続するアダプタ装置によって、着番号を個別の内線電話機を呼出す着番号に変換し、前記内線電話機を呼出す着番号を、従来からある標準のダイヤルインシーケンスを用いて電話交換装置に中継する。これにより、ダイヤルインシーケンスをサポートした一般的な電話交換装置に対して、ＡＣＤ機能を容易に追加することが可能となる。またアダプタ装置は、外線インタフェース部と内線インタフェース部と制御部と付随する記憶部からなるハードウェアと、着番号の置換を行うソフトウェアとで構成できるため、電話交換装置のような複雑なハードウェアやソフトウェアを構成する必要がなく、アダプタ装置の製造、開発コストを抑えることができ、既設の電話交換装置と組み合わせることで、ＡＣＤ機能を安価に提供することが可能となる。
【発明を実施するための形態】
【０００９】
以下、本発明の実施例を、図面を用いて説明する。
図１は、本発明によるアダプタ装置のブロック構成図である。外線に相当する電話網２と電話交換装置４との間に、本発明によるアダプタ装置３が接続されている。
【００１０】
本発明によるアダプタ装置３は、外線（電話網２）と接続される外線インタフェース部３０１と、該外線インタフェース部３０１を介して着信の到来を検知する着信検知部３０２と、着信時に電話網２から到来する着信情報から発番号（発信者電話番号）情報と着番号（着信先の電話番号）情報を抽出する着信情報抽出部３０３と、発番号と着信先の内線電話機との関係を記憶した発番号対応中継情報記憶部３１１と、着番号と着信先の内線電話機との関係を記憶した着番号変換／中継情報記憶部３１２と、電話交換装置と接続するための内線インタフェース部３０６と、該内線インタフェース部３０６を介して着信時に着信先を指定する情報を送信する着信先指定部３０７と、発信元電話機１または電話交換装置４に接続された各内線電話機５ａ、５ｂ、５ｃに対してガイダンスメッセージを送出するガイダンス送出部３１３と、各部を制御する制御部３１０から構成されている。
【００１１】
また、電話交換装置４は、外線（電話網２）もしくは本発明によるアダプタ装置３と接続するための回線インタフェース部４０１と、該回線インタフェース部４０１を介して着信を検知する着信検知部４０２と、着信時に電話網２または本発明によるアダプタ装置３から到来する着信情報から着番号（着信先の電話番号）情報を抽出する着信情報抽出部４０３と、内線電話機を接続するための内線インタフェース部４０６と、各部を制御する交換制御部４１０から構成されている。
【００１２】
以下、発信元電話機１と電話網２とが、また電話網２と本発明によるアダプタ装置３の外線インタフェース部３０１とが、また本発明によるアダプタ装置３の内線インタフェース部３０６と電話交換装置４の回線インタフェース部４０１とが接続されたものとして説明する。
【００１３】
発信元電話機１が電話網２を介して、電話交換装置４が設置された先の所定のグループに属する内線電話機を呼出すグループ呼出電話番号もしくは全内線電話機を一括で呼出す一括呼出電話番号をダイヤルして発信すると、本発明によるアダプタ装置３の制御部３１０は、電話網２からの着信の到来を着信検知部３０２によって検知したならば、着信情報抽出部３０３に対して着信時に到来する着信情報から発番号（発信者電話番号）と着番号（発信元電話機１がダイヤルした電話番号）の抽出を指示する。
【００１４】
次に、本発明のアダプタ装置３の制御部３１０は、発番号対応中継情報記憶部３１１を用いて前記着信情報抽出部３０３が抽出した発番号と対応する着信先電話番号（個別呼出電話番号）を決定する。また該当する着信先電話番号を決定できなかった場合は、着番号変換／中継情報記憶部３１２を用いて前記着信情報抽出部３０３が抽出した着番号と対応する着信先電話番号（個別呼出電話番号）を決定する。
【００１５】
次に、制御部３１０は、内線インタフェース部３０６を介して電話交換装置４に着信起動を行い、着信先指定部３０７からダイヤルインシーケンスを用いて、先に決定された着信先電話番号情報を送出する。このとき、ガイダンス送出部３１３は、発信元電話機１に対して、電話を所定の内線電話機に取り次ぐ旨を案内するガイダンスメッセージを送出する。
【００１６】
電話交換装置４は、回線インタフェース部４０１を介して着信検知部４０２でアダプタ装置３からの着信を検知すると、着信情報抽出部４０３に対して着信先指定部３０７が送信した着信情報から着番号（アダプタ装置３で変換された内線電話機を個々に呼出す個別呼出電話番号）の抽出を指示する。次に、交換制御部４１０は、前記抽出した個別呼出電話番号に対応する内線電話機に対して、外線着信が到来したことを通知する。
【００１７】
該内線電話機が着信に応答すると、電話交換装置４は外線インタフェース４０１を介して応答信号を返送する。次に、本発明によるアダプタ装置３が内線インタフェース部３０６を介して該応答信号を検知すると、ガイダンス送出部３１３より、応答した内線電話機に対して外線着信を引き継ぐ旨を案内するガイダンスメッセージを送出した後、外線インタフェース部３０１を介して電話網２に応答信号を中継し、これにより、発信者電話機１と内線電話機（５ａまたは５ｂまたは５ｃ）との間で通話が行われる。
【００１８】
図２は、本発明によるアダプタ装置の制御部の動作フローチャートである。待機状態（Ｓ３０００）において、着信検知部３０２によって外線（電話網２）からの着信を検知すると（Ｓ３００１，Ｙ）、着信情報抽出部３０３に指示して発番号と着番号の抽出を指示する（Ｓ３００２、Ｓ３００３）。
【００１９】
次に、抽出した発番号もしくは着番号を元に、発番号対応中継情報記憶部３１１もしくは着番号変換／中継情報記憶部３１２を参照して着信先の内線電話機（個別呼出電話番号）を決定する（Ｓ３０１０）。  尚、着信先の決定動作については、図３で説明する。
【００２０】
着信先の内線電話機（個別呼出電話番号）が決定されると、内線インタフェース部３０６に指示して従属する電話交換装置４に対して着信起動を行い（Ｓ３０１１）、着信先指定部３０７から着信情報として前記抽出した発番号とステップ３０１０で決定した個別呼出電話番号を着番号として電話交換装置４に通知する（Ｓ３０１２）。
【００２１】
尚、着信情報の通知は、電話交換装置４の回線インタフェース部４０１がアナログ回線インタフェースで構成されている場合にはモデム信号またはＤＴＭＦ信号を用いたダイヤルインシーケンスによって前記決定した電話番号情報を送り、またＩＳＤＮインタフェースで構成されている場合には着番号情報要素または着サブアドレス情報要素を用いて前記決定された電話番号情報を送り、またＳＩＰ（ＩＰ電話）インタフェースで構成されている場合にはＩＮＶＩＴＥリクエスト中のＴｏヘッダを用いて前記決定された電話番号情報を通知する。
【００２２】
次に、電話交換装置４より、着信を受け付けられない旨の通知があった場合には（Ｓ３０１３，Ｎ）、再度ステップ３０１０に戻って次の着信先候補を決定し、着信を受け付ける旨の通知があった場合には（Ｓ３０１３，Ｙ）、ガイダンス送出部３１３より発信元電話機１に対して所定の内線電話機に電話を取り次ぐ旨を案内するガイダンスメッセージを送出する（Ｓ３０２１）。
【００２３】
次に、着信を受けた内線電話機が応答したことを検知すると（Ｓ３０２２，Ｙ）、ガイダンス送出部３１３より応答した内線電話機に対して外線着信を引き継ぐ旨を案内するガイダンスメッセージを送出し（Ｓ３０３１）、発番号対応中継情報記憶部３１１及び着番号変換／中継情報記憶部３１２の該当の個別呼出電話番号に対応する呼状態・最新通話時刻・待機時間・対応件数に関する情報を更新する（Ｓ３０３２）。尚、発番号対応中継情報記憶部の構成例を図４に、また着番号変換／中継情報記憶部の構成例を図５に示す。
【００２４】
次に、アダプタ装置３の外線インタフェース３０１を介して電話網２に応答信号を中継し（Ｓ３０３３）、外線と電話交換装置との間の通話路を接続する（Ｓ３０３４）。次に、発信元端末１もしくは電話交換装置４から該当する呼の終話を検知した場合（Ｓ３０４１，Ｙ）、外線と電話交換装置との間の通話路を解放し（Ｓ３０４２）、呼を解放する（Ｓ３０４３）。
【００２５】
次に、発番号対応中継情報記憶部３１１及び着番号変換／中継情報記憶部３１２の該当の個別呼出電話番号に対応する呼状態・通算通話時間・待機時間に関する情報を更新し（Ｓ３０４４）、待機状態（Ｓ３０００）に戻る。
【００２６】
尚、図示しないが、ステップ３０１１において着信を起動した後、ステップ３０２２で所定の時間経過しても着信先の内線電話機が応答しなかった場合、ステップ３０１０に戻って次の着信先候補を選択する、または本アダプタ装置３が応答して、ガイダンス送出部３１３から発信元に対して応対できない旨を案内するガイダンスメッセージを送出した後、呼を解放してもよい。
【００２７】
図３は、図２のステップ３０１０において着信先の電話番号を決定するための処理のフローチャートである。処理が起動されると（Ｓ３１００）、抽出した発番号を用いて、発番号対応中継情報記憶部３１１（図４のＶ３１１１）から一致する発番号を検索し、呼状態（Ｖ３１１３）が待機中で、かつ最新通話時刻（Ｖ３１１４）が最も新しい個別呼出電話番号を抽出する（Ｓ３１０１）。
【００２８】
次に、目的の個別呼出電話番号が抽出できた場合は、その個別呼出電話番号を保持して処理を終了する（Ｓ３１０２，Ｙ）。また、該当するすべての個別呼出電話番号に対応する呼状態が対応中等で目的の個別呼出電話番号を抽出できなかった場合には（Ｓ３１０２，Ｎ）、呼状態が待機中で、かつ対応件数が多い順に個別呼出電話番号を抽出する（Ｓ３１０３）。目的の個別呼出電話番号が抽出できた場合は、その個別呼出電話番号を保持して処理を終了する（Ｓ３１０４，Ｙ）。
【００２９】
また、該当の個別呼出電話番号の呼状態が対応中等で目的の個別呼出電話番号を抽出できなかった場合には（Ｓ３１０４，Ｎ）、前記抽出した着番号を用いて、着番号変換／中継情報記憶部３１２（図５のＶ３１２１）から一致する着番号を検索し、呼状態が待機中で、かつ待機時間が最も長い、もしくは通算通話時間が最も短い、もしくは対応件数が最も少ない個別呼出電話番号を抽出する（Ｓ３１０５）。
【００３０】
尚、本実施例では、通算通話時間・待機時間・対応件数を判断条件の一例として示しているが、これ以外の判断情報を追加してもよい。また着信先の決定は、判断情報の一部のみを利用して決定、もしくはそれぞれに重み付けを行い総合的に判断して決定してもよい。
【００３１】
次に、目的の個別呼出電話番号が抽出できた場合は、その個別呼出電話番号を保持して処理を終了する（Ｓ３１０６，Ｙ）。また、着番号変換／中継情報記憶部３１２に該当する着番号が存在しない等で、目的の個別呼出電話番号を抽出できなかった場合（Ｓ３１０６，Ｎ）、抽出した着番号をそのまま保持して処理を終了する（Ｓ３１０７）。
【００３２】
図４は、発番号対応中継情報記憶部の記憶内容の一例を示す図である。発信元の発番号情報（Ｖ３１１１）、変換する個別呼出電話番号（Ｖ３１１２）、個別呼出電話番号毎の呼状態（Ｖ３１１３）、最後に通話した最新通話時刻（Ｖ３１１４）、応対を行った対応件数（Ｖ３１１５）が個別呼出電話番号毎に記憶されている（Ｖ３１１６ａ〜Ｖ３１１６ｂ、Ｖ３１１７ａ〜Ｖ３１１７ｂ）。
【００３３】
このとき、呼状態（Ｖ３１１３）は、図２のステップ３０３２で「対応中」に更新され、またステップ３０４４で「待機中」に更新される。また図２のステップ３０３２で、最新通話時刻の記録と対応件数の加算が行われる。
【００３４】
この状態において、０５０−ＡＡＡＡ−ＡＡＡＡを発番号とする相手先から着信があった場合、０２７−ａａａ−ａａａａの呼状態が対応中（着信呼出中〜通話中）であることから、呼状態が待機中である０２７−ａａａ−ｂｂｂｂ（Ｖ３１１６ｂ）が選択される。
【００３５】
図５は、着番号変換／中継情報記憶部の記憶内容の一例を示す図である。電話交換装置４において所定のグループに属する内線電話機を呼出すグループ呼出電話番号もしくは全内線電話機を一括で呼出す一括呼出電話番号で構成される着番号（Ｖ３１２１）、該着番号に対応する内線電話機の候補を示す個別呼出電話番号（Ｖ３１２２）、個別呼出電話番号毎の呼状態（Ｖ３１２３）、待機中状態の継続時間（Ｖ３１２４）、通算通話時間（Ｖ３１２５）、応対を行った対応件数（Ｖ３１２６）が個別呼出電話番号毎に記憶されている（Ｖ３１２７ａ〜Ｖ３１２７ｃ、Ｖ３１２８ａ〜Ｖ３１２８ｃ）。
【００３６】
このとき、呼状態（Ｖ３１２３）は、図２のステップ３０３２で「対応中」に更新され、またステップ３０４４で「待機中」に更新される。また図２のステップ３０３２で、待機時間（Ｖ３１２４）が０：００：００にリセットされ、通算通話時間（Ｖ３１２５）のカウント（加算）が開始され、対応件数（Ｖ３１２６）の加算が行われる。
【００３７】
また図２のステップ３０４４で、待機時間（Ｖ３１２４）のカウント（加算）が再開され、通算通話時間（Ｖ３１２５）のカウント（加算）が停止される。この状態において、着番号０２７−ＥＥＥ−ＥＥＥＥに着信があると、個別呼出電話番号０２７−ａａａ−ａａａａの呼状態が対応中であるため、呼状態が待機中で、かつ最も待機時間の長い、または最も通算通話時間の短い、または最も対応件数が少ない、０２７−ａａａ−ｃｃｃｃ（Ｖ３１２７ｃ）が選択される。
【図面の簡単な説明】
【００３８】
【図１】本発明によるアダプタ装置のブロック構成図である。
【図２】本発明によるアダプタ装置の制御部の動作フローチャートである。
【図３】着信先の電話番号を決定する処理フローチャートである。
【図４】発番号対応中継情報記憶部の記憶内容の一例を示す図である。
【図５】着番号変換／中継情報記憶部の記憶内容の一例を示す図である。
【符号の説明】
【００３９】
１  発信元電話機
２  電話網
３  アダプタ装置
４  電話交換装置
５ａ、５ｂ、５ｃ  内線電話機
３０１  外線インタフェース部
３０２  着信検知部
３０３  着信情報抽出部
３０６  内線インタフェース部
３０７  着信先指定部
３１０  制御部
３１１  発番号対応中継情報記憶部
３１２  着番号変換／中継情報記憶部
３１３  ガイダンス送出部
４０１  回線インタフェース部
４０２  着信検知部
４０３  着信情報抽出部
４０６  内線インタフェース部
４１０  交換制御部
【図１】
2013121158.tif 000003
【図２】
2013121158.tif 000004
【図３】
2013121158.tif 000005
【図４】
2013121158.tif 000006
【図５】
2013121158.tif 000007